(57)【要約】【課題】複数の容器入り飲料の冷却及び貯蔵が可能な容器入り飲料冷蔵装置を提供する。【解決手段】容器入り飲料冷蔵装置である缶ビール冷蔵装置１００は、複数の缶ビール１０１を貯蔵することができる缶ビール貯蔵部１４０と、前記缶ビール貯蔵部１４０を冷却する冷却ユニット１５０と、前記缶ビール１０１を一つずつ取り出すための缶ビール取り出し部１３０とを備え、前記缶ビール貯蔵部１４０内には、前記缶ビールが通過する缶ビール経路が形成されており、前記缶ビール経路内に、前記缶ビールの移動を制御する移動制御部１４１〜１４４と、前記缶ビールの移動を停止させる移動停止部１４５とを備える。【選択図】図１４
0003156392.tif 000002
【実用新案登録請求の範囲】
【請求項１】
複数の容器入り飲料を貯蔵することができる容器入り飲料貯蔵部と、
前記容器入り飲料貯蔵部を冷却する冷却部と、
前記容器入り飲料を一つずつ取り出すための容器入り飲料取り出し部と
を備え、
前記容器入り飲料貯蔵部内には、前記容器入り飲料が通過する容器入り飲料経路が形成されており、
前記容器入り飲料経路内に、前記容器入り飲料の移動を制御する移動制御部と、前記容器入り飲料の移動を停止させる移動停止部と
を備える
ことを特徴とする容器入り飲料冷蔵装置。
【請求項２】
前記容器入り飲料経路は、前記容器入り飲料貯蔵部内を蛇行するように形成されている
ことを特徴とする請求項１に記載の容器入り飲料冷蔵装置。
【請求項３】
前記容器入り飲料取り出し部は、前記容器入り飲料貯蔵部に対して、進退可能に構成されている
ことを特徴とする請求項１又は２に記載の容器入り飲料冷蔵装置。
【請求項４】
前記容器入り飲料取り出し部は、前記容器入り飲料貯蔵部に対向する面に、前記容器入り飲料を１つ収容可能な容器入り飲料収容部を備え、
前記容器入り飲料収容部は、前記容器入り飲料取り出し部が閉じられた際、前記容器入り飲料経路の端部を構成する
ことを特徴とする請求項３に記載の容器入り飲料冷蔵装置。
【請求項５】
前記移動停止部は、前記容器入り飲料経路内において、前記容器入り飲料収容部に収容される前記容器入り飲料の直後に位置する前記容器入り飲料の移動を停止させる
ことを特徴とする請求項４に記載の容器入り飲料冷蔵装置。
【請求項６】
前記移動停止部は、前記容器入り飲料取り出し部が開けられた際に、前記容器入り飲料経路内に突出し、容器入り飲料取り出し部が閉じられた際は、前記容器入り飲料経路内に突出しなくなる
ことを特徴とする請求項３〜５のいずれか一項に記載の容器入り飲料冷蔵装置。
【請求項７】
前記容器入り飲料取り出し部は、閉じられた際に、前記移動停止部に当接して、前記移動停止部が前記容器入り飲料経路内に突出しないようにする移動停止部当接部を備える
ことを特徴とする請求項６に記載の容器入り飲料冷蔵装置。
【請求項８】
前記移動制御部は、前記容器入り飲料経路内において、前記容器入り飲料が垂直方向に落下する箇所に設けられている
ことを特徴とする請求項１〜７のいずれか一項に記載の容器入り飲料冷蔵装置。
【請求項９】
前記冷却部は、熱電変換ユニットによって構成される
ことを特徴とする請求項１〜８のいずれか一項に記載の容器入り飲料冷蔵装置。
【考案の詳細な説明】
【技術分野】
【０００１】
本考案は、容器入り飲料（例えば、缶ビール等）を冷却して貯蔵する容器入り飲料冷蔵装置に関する。
【背景技術】
【０００２】
缶ビール等の容器入り飲料は、通常、まず容器ごと飲み頃の温度（例えば、５℃程度）まで冷やされた上で、中身の飲料が飲まれている。一般家庭等においては、容器入り飲料の冷却には、通常、冷蔵庫が利用されている。
【０００３】
一方、従来より、一般家庭等において利用できる容器入り飲料専用の冷蔵装置も知られている。例えば、特開２００４−２９４０１６号公報（以下、特許文献１という）には、容器入り飲料が収容される本体内の金属製容器の上方に開口部を設け、ペルチェ素子を外面に取り付けた熱伝導体を金属製容器の側面に固定し、金属製容器の外側と本体の内側との間に形成される空洞部に断熱素材を充填するようにした卓上冷蔵・温蔵器が記載されている。
【０００４】
しかしながら、特許文献１に記載された卓上冷蔵・温蔵器では、一つの容器入り飲料しか冷蔵することができない。
【先行技術文献】
【特許文献】
【０００５】
【特許文献１】特開２００４−２９４０１６号公報
【考案の概要】
【考案が解決しようとする課題】
【０００６】
本考案の目的は、複数の容器入り飲料の冷却及び貯蔵が可能な容器入り飲料冷蔵装置を提供することにある。
【課題を解決するための手段】
【０００７】
本考案に係る容器入り飲料冷蔵装置は、複数の容器入り飲料を貯蔵することができる容器入り飲料貯蔵部と、前記容器入り飲料貯蔵部を冷却する冷却部と、前記容器入り飲料を一つずつ取り出すための容器入り飲料取り出し部とを備え、前記容器入り飲料貯蔵部内には、前記容器入り飲料が通過する容器入り飲料経路が形成されており、前記容器入り飲料経路内に、前記容器入り飲料の移動を制御する移動制御部と、前記容器入り飲料の移動を停止させる移動停止部とを備えることを特徴とする。
【０００８】
この場合において、前記容器入り飲料経路は、前記容器入り飲料貯蔵部内を蛇行するように形成されるようにしてもよい。
【０００９】
また、以上の場合において、前記容器入り飲料取り出し部は、前記容器入り飲料貯蔵部に対して、進退可能に構成されているようにしてもよい。この場合、前記容器入り飲料取り出し部は、前記容器入り飲料貯蔵部に対向する面に、前記容器入り飲料を１つ収容可能な容器入り飲料収容部を備え、前記容器入り飲料収容部は、前記容器入り飲料取り出し部が閉じられた際、前記容器入り飲料経路の端部を構成するようにしてもよい。更に、この場合、前記移動停止部は、前記容器入り飲料経路内において、前記容器入り飲料収容部に収容される前記容器入り飲料の直後に位置する前記容器入り飲料の移動を停止させるようにしてもよい。また、前記移動停止部は、前記容器入り飲料取り出し部が開けられた際に、前記容器入り飲料経路内に突出し、容器入り飲料取り出し部が閉じられた際は、前記容器入り飲料経路内に突出しなくなるようにしてもよい。更に、この場合、前記容器入り飲料取り出し部は、閉じられた際に、前記移動停止部に当接して、前記移動停止部が前記容器入り飲料経路内に突出しないようにする移動停止部当接部を備えるようにしてもよい。
【００１０】
また、以上の場合において、前記移動制御部は、前記容器入り飲料経路内において、前記容器入り飲料が垂直方向に落下する箇所に設けられているようにしてもよい。また、前記冷却部は、例えば、熱電変換ユニットによって構成される。
【考案の効果】
【００１１】
本考案によれば、複数の容器入り飲料の冷却及び貯蔵が可能な容器入り飲料冷蔵装置が提供される。
【図面の簡単な説明】
【００１２】
【図１】本考案による缶ビール冷蔵装置１００の外観を説明するための正面図である。
【図２】缶ビール冷蔵装置１００の外観を説明するための側面図である。
【図３】缶ビール冷蔵装置１００の外観を説明するための背面図である。
【図４】缶ビール冷蔵装置１００の外観を説明するための平面図及び底面図である。
【図５】缶ビール差し入れ部１２０及び缶ビール取り出し部１３０を開けた状態を説明するための正面図である。
【図６】缶ビール差し入れ部１２０及び缶ビール取り出し部１３０を開けた状態を説明するための側面図である。
【図７】缶ビール差し入れ部１２０及び缶ビール取り出し部１３０を開けた状態を説明するための平面図及び底面図である。
【図８】図１のＡ−Ａ断面図である。
【図９】図１のＢ−Ｂ縮小断面図である。
【図１０】図９に示した状態から缶ビール取り出し部１３０を開けたときのＢ−Ｂ縮小断面図である。
【図１１】図９及び図１０のＣ−Ｃ断面図である。
【図１２】図９及び図１０のＤ−Ｄ断面図である。
【図１３】６本の缶ビールを缶ビール冷蔵装置１００内に差し入れた状態を示す図である。
【図１４】図１３に示した状態から缶ビール取り出し部１３０を引き出した状態を示す図である。
【考案を実施するための形態】
【００１３】
以下、本考案の実施の形態について、図面を参照しつつ詳細に説明する。以下では、容器入り飲料としての缶入り飲料（より具体的には、缶ビール）の冷却及び貯蔵を行う容器入り飲料冷蔵装置（以下、缶ビール冷蔵装置という）について説明する。本缶ビール冷蔵装置は、複数の缶ビールの冷却及び貯蔵をすることができるものである。より具体的には、本缶ビール冷蔵装置は、３５０ｍｌの缶ビールを、最大で６本同時に、飲み頃の温度（例えば、１〜３℃位）まで冷却し、貯蔵することができるものである。また、本缶ビール冷蔵装置は、冷蔵されている缶ビールを、１本ずつ、差し入れられた順番に取り出すことができるものである。
【００１４】
図１〜図４は、本考案による缶ビール冷蔵装置の外観を説明するための図である。図１は正面図を示し、図２は側面図を示し、図３は背面図を示し、図４（ａ）は平面図を示し、同図（ｂ）は底面図を示す。なお、図２は、より正確には、左側面図を示し、右側面図は、形状的には図２と対称にあらわれることになる。また、図４では、正面が右側、背面が左側に来るように配置されている。
【００１５】
図１〜図４に示すように、本考案による缶ビール冷蔵装置１００は、概ね直方体状の外形を有しており、当該外形を主に規定する本体部１１０と、当該本体部１１０に対して可動に構成される缶ビール差し入れ部１２０と、缶ビール取り出し部１３０とを備える。
【００１６】
本体部１１０は、缶ビール冷蔵装置１００の主要部をなす部分であって、その内部に、後述する缶ビール貯蔵部や冷却ユニット等を収容するものである。図２に示すように、本体部１１０の上面の前端部及び後端部付近には、持ち運び用の把手１１１が取り付けられている。
【００１７】
缶ビール差し入れ部１２０は、冷蔵対象となる缶ビールを缶ビール冷蔵装置１００内に差し入れる際に開けられる部分であって、缶ビール冷蔵装置１００の上面部に取り付けられている。一方、缶ビール取り出し部１３０は、缶ビール冷蔵装置１００によって冷蔵されている缶ビールを缶ビール冷蔵装置１００から取り出す際に開けられる部分であって、缶ビール冷蔵装置１００の正面部に取り付けられている。
【００１８】
図５〜図７は、缶ビール差し入れ部１２０及び缶ビール取り出し部１３０を開けた状態を説明するための図である。図５は正面図を示し、図６は側面図を示し、図７（ａ）は平面図を示し、同図（ｂ）は底面図を示す。なお、図６は、より正確には、左側面図を示し、右側面図は、形状的には図６と対称にあらわれることになる。また、図７では、図４と同様に、正面が右側、背面が左側に来るように配置されている。
【００１９】
図４〜図７に示すように、缶ビール差し入れ部１２０は、一方の端部付近に設けられたピン１２１を中心に回転することで開閉できるように、本体部１１０に取り付けられている。缶ビール差し入れ部１２０の上面部には、缶ビール差し入れ部１２０を開ける際に指を差し入れるための穴１２２が形成されている。
【００２０】
一方、図５〜図７に示すように、缶ビール取り出し部１３０は、本体部１１０に対して水平方向に進退可能（図６において左右動可能）なように、本体部１１０に取り付けられている。図５に示すように、缶ビール取り出し部１３０の正面部には、缶ビール取り出し部１３０を開ける（引き出す）際に指を差し入れるための穴１３１、及び、缶ビール取り出し部１３０が閉められている時に缶ビール取り出し部１３０をロックしているラッチ部材１３２を引き下げるための操作部１３３が設けられている。
【００２１】
また、缶ビール取り出し部１３０の内側には、取り出し対象となる缶ビールが収容される缶ビール収容部１３４が形成されている。当該缶ビール収容部１３４は、缶ビールを１本収容することができるものであり、缶ビール取り出し部１３０を閉めた状態では、後述する缶ビール貯蔵部の一部（缶ビール経路の端部）を形成することにもなる。
【００２２】
図８〜図１２は、缶ビール冷蔵装置１００の内部構造を説明するための図である。図８は、図１のＡ−Ａ断面図を示し、図９は、図１のＢ−Ｂ縮小断面図を示し、図１０は、図９に示した状態から缶ビール取り出し部１３０を開けたときのＢ−Ｂ縮小断面図を示し、図１１は、図９及び図１０のＣ−Ｃ断面図を示し、図１２は、図９及び図１０のＤ−Ｄ断面図を示す。なお、図８は、缶ビールを６本貯蔵している状態を示し、図９〜図１２は、空の状態を示している。
【００２３】
図８に示すように、缶ビール冷蔵装置１００は、その内部に、缶ビール貯蔵部１４０を有する。缶ビール貯蔵部１４０は、複数（本実施形態では６本）の缶ビール１０１を貯蔵することができるものであり、缶ビール貯蔵部１４０内には、缶ビール１０１が、上面側の差し入れ口から、正面側の差し出し口に向かって進む際に通過する缶ビール経路が形成されている。同図に示すように、缶ビール経路は、差し入れ口から差し出し口まで缶ビール１０１が蛇行しながら進むように形成されている。
【００２４】
缶ビール貯蔵部１４０を構成する隔壁は、熱伝導性の高い金属（例えば、アルミニウム）で形成されており、缶ビール貯蔵部１４０を構成する隔壁の背面側には、図８に示すように、缶ビール貯蔵部１４０を冷却するための冷却ユニット１５０が取り付けられている。なお、缶ビール貯蔵部１４０の周囲は、適当な断熱部材を使って断熱されているものとする。
【００２５】
冷却ユニット１５０は、缶ビール貯蔵部１４０を構成する隔壁に取り付けられて、缶ビール貯蔵部１４０を冷却することにより、缶ビール貯蔵部１４０に貯蔵されている缶ビール１０１を冷却するものである。本実施形態では、冷却ユニット１５０は、熱電変換ユニット（ペルチェユニット）によって構成されており、熱電変換ユニット（を構成する熱電変換モジュール）に一定方向の電流を流すことによって、缶ビール貯蔵部１４０に貯蔵されている缶ビール１０１を冷却する。
【００２６】
図８に示すように、冷却ユニット１５０は、伝熱ブロック１５１と、放熱フィン１５２と、ケース１５３とを備える。更に、同図には示されていないが、冷却ユニット１５０（ケース１５３）の内部においては、伝熱ブロック１５１と、放熱フィン１５２との間に、熱電変換モジュールが挟持されている。
【００２７】
伝熱ブロック１５１は、熱電変換モジュールの吸熱面に接触して熱を伝達する伝熱部材であって、例えば、熱伝導性の高い金属（例えば、アルミニウム）によって構成される。伝熱ブロック１５１は、概ね四角柱状の形状を有しており、その上面を隔壁にねじ留めすることで、冷却ユニット１５０が缶ビール貯蔵部１４０に取り付けられる。
【００２８】
放熱フィン１５２は、熱電変換モジュールの放熱面に接触して熱を伝達（放熱）する伝熱部材（放熱部材）であって、例えば、熱伝導性の高い金属（例えば、アルミニウム）によって構成される。放熱フィン１５２は、矩形状平板と、その底面に取り付けられた多数のフィンとによって構成されており、缶ビール冷蔵装置１００の底面側に設けられたファン１６０によって強制空冷される。なお、ファン１６０によって、缶ビール冷蔵装置１００内に取り込まれた空気は、放熱フィン１５２を冷却した後、図３に示すように、缶ビール冷蔵装置１００の背面上側に設けられている排気口１１２を介して、外部に排出される。
【００２９】
ケース１５３は、伝熱ブロック１５１及び放熱フィン１５２によって挟持される熱電変換モジュールの周囲（側方）を間隔をあけて覆い密閉空間を形成するものであって、例えば、熱伝導性が低く、耐水性を有し、ガス透過性が低い合成樹脂（例えば、ポリフェニレンスルフィド）で構成される。ケース１５３は、例えば、伝熱ブロック１５１と一体をなすように、インサート成形によって形成され、放熱フィン１５２に固定（ねじ留め）される。また、ケース１５３の一辺には、熱電変換モジュールに直流電流を供給するためのタブ端子が設けられている。
【００３０】
冷却ユニット１５０を構成する熱電変換モジュールは、板状に並べられた複数のπ型熱電素子（ｎ型半導体素子及びｐ型半導体素子の一端を金属電極で接合したもの）によって構成されており、複数のπ型熱電素子は、金属電極によって、電気的には直列に、熱的には並列に接続されている。また、板状に並べられた複数のπ型熱電素子の上面及び底面には、それぞれ、絶縁基板（例えば、セラミック基板）が接合されており、吸熱面及び放熱面を形成している。
【００３１】
次に、缶ビール貯蔵部１４０内の缶ビール経路の詳細について説明する。
【００３２】
図９に示すように、缶ビール貯蔵部１４０内の缶ビール経路は、缶ビール冷蔵装置１００の上面側に設けられた差し入れ口から、缶ビール冷蔵装置１００の正面側に設けられた取り出し口に向かって、蛇行しながら進むように形成される。すなわち、差し入れ口から差し入れられた缶ビールは、まず、缶ビール貯蔵部１４０の正面側隔壁に向かって、斜め下方向（同図における右下方向）に進み、正面側隔壁付近に達した時点で、垂直方向に一定距離落下した後、今度は、缶ビール貯蔵部１４０の背面側隔壁に向かって、斜め下方向（同図における左下方向）に進み、背面側隔壁付近に達した時点で、再度、垂直方向に一定距離落下した後、缶ビール取り出し部１３０に向かって、斜め下方向（同図における右下方向）に進み、正面側に設けられた取り出し口に達する。
【００３３】
以上のような形状を有する缶ビール経路は、その途中に、複数の移動制御部１４１〜１４４を備えると共に、取り出し口の手前に、ストッパー（移動停止部）１４５を備えている。
【００３４】
移動制御部１４１〜１４４は、缶ビール経路の途中に設けられて、缶ビールの移動速度が速くなりすぎないように、その移動を制御するものである。本実施形態では、移動制御部は、２つの移動制御板１４１，１４３と、２つの回転ダンパー１４２，１４４で構成されている。
【００３５】
移動制御板１４１，１４３は、可撓性を有する樹脂によって構成されており、缶ビールと当接した際に、自身が撓むことによって、缶ビールの移動速度を遅らせるものである。図１１に示すように、移動制御板１４１及び１４３はそれぞれ、２つの細長い板状部材１４１ａ，１４１ｂ及び１４３ａ，１４３ｂによって構成されており、２つの板状部材１４１ａ，１４１ｂ及び１４３ａ，１４３ｂはそれぞれ、平面視において、回転ダンパー１４２，１４４を挟むような位置に配置される。
【００３６】
一方、回転ダンパー１４２，１４４は、概ね平板状の形状を有し、その基端部付近にある回転軸を中心に回転可能なものであって、落下してきた缶ビールと当接している間は、グリース等の粘性抵抗によってゆっくりと回転して、缶ビールの移動速度（落下速度）を遅らせるものである。また、回転ダンパー１４２，１４４は、缶ビールが先に進んで当接しなくなると、ねじりコイルばねの作用によって、それまでとは逆の方向にすばやく回転して元の位置に戻るように構成されている。
【００３７】
本実施形態では、缶ビール経路の途中、缶ビールが垂直方向に落下する各位置付近に、落下制御板１４１，１４３及び回転ダンパー１４２，１４４とが組となるように配置されている。すなわち、主として、回転ダンパー１４２，１４４によって、缶ビールが急速に落下するのを防止すると共に、落下制御板１４１，１４３によって、缶ビールの落下のタイミングを遅らせて、前に通過した缶ビールと当接したことにより一旦下側を向いた回転ダンパー１４２，１４４（図１３参照）が、元の位置に戻る時間を稼いでいる。
【００３８】
つまり、移動制御部である落下制御板１４１，１４３及び回転ダンパー１４２，１４４によって、差し入れ口に差し入れられた缶ビールは、缶ビール経路内を、ゆっくりとした速度で、取り出し口に向かって進むことになる。
【００３９】
ストッパー１４５は、缶ビール取り出し部１３０が引き出された際に、取り出し対象となる一番先頭（最も取り出し口側）の缶ビール以外の缶ビールの移動を停止させるものである。すなわち、缶ビール取り出し部１３０が引き出されると、図１０に示すように、缶ビール経路内に突出してきて、取り出し対象となる缶ビールの直後の缶ビールの側面に当接して、当該缶ビール以降の缶ビールの動きを規制するものである。図９に示すように、缶ビール取り出し部１３０を閉めた状態では、ストッパー１４５は、缶ビール経路内に突出しておらず、缶ビール経路内を進んできた缶ビールは、当該ストッパー１４５に邪魔されることなく、当該ストッパー１４５上を通過して、缶ビール取り出し部１３０の内側面に設けられた缶ビール収容部１３４に収容された状態で停止することになる。
【００４０】
当該ストッパー１４５の動きは、缶ビール取り出し部１３０が備えるストッパー当接部１３５によって実現される。すなわち、缶ビール取り出し部１３０を閉めた状態では、図９に示すように、ストッパー当接部１３５がストッパー１４５と当接することにより、ストッパー１４５を、ストッパー１４５の基端部に設けられた回転軸１４６を中心に回転させ、ストッパー１４５が缶ビール経路内に突出しないようにする。ストッパー１４５は、ねじりコイルばねによって、缶ビール経路内に突出する方向に回転するよう付勢されているが、ストッパー当接部１３５が当接している間は、ストッパー当接部１３５により押されて、缶ビール経路内に突出しない状態を維持することになる。当該状態において、缶ビール取り出し部１３０が引き出されると、缶ビール取り出し部１３０と一体をなすストッパー当接部１３５も、ストッパー１４５から離れる方向に移動することとなり、その結果、ストッパー当接部１３５により押されなくなるストッパー１４５が、ねじりコイルばねの付勢力により、その回転軸１４６を中心に回転して、図１０に示すように、缶ビール経路内に突出するようになる。なお、ストッパー当接部１３５は、缶ビール取り出し部１３０を閉じた状態において、缶ビール経路の一部を構成することにもなる。
【００４１】
次に、以上のような構成を有する缶ビール冷蔵装置１００の動作について説明する。以下では、空の缶ビール冷蔵装置１００に対して、常温の缶ビールを最大収容可能本数（すなわち、６本）入れて、冷蔵する場合について説明する。
【００４２】
まず、缶ビール差し入れ部１２０を開けて、常温の缶ビールを、差し入れ口を介して、缶ビール冷蔵装置１００内に順次差し入れる。この時、缶ビール取り出し部１３０は閉じておく。
【００４３】
差し入れ口から差し入れられた缶ビールは、取り出し口方向へ、缶ビール貯蔵部１４０内の缶ビール経路を進む。この際、缶ビール経路内の垂直落下箇所では、移動制御部である落下制御板１４１，１４３及び回転ダンパー１４２，１４４によって、急速な落下が防がれる。その結果、缶ビールは、缶ビール経路内を比較的ゆっくりとしたスピードで移動することになる。そして、最初に差し入れられた缶ビールは、最終的に、缶ビール取り出し部１３０の内側面に当接して移動を停止することになる。つまり、最初に差し入れられた缶ビールは、缶ビール取り出し部１３０の缶ビール収容部１３４に収容された状態で停止することになる。
【００４４】
最初に差し入れられた缶ビールに続いて、２番目に差し入れられた缶ビールについても、最初に差し入れられた缶ビール同様に、取り出し口方向へ、缶ビール貯蔵部１４０内の缶ビール経路を進む。この際、缶ビール経路内の垂直落下箇所では、移動制御部である落下制御板１４１，１４３及び回転ダンパー１４２，１４４によって、急速な落下が防がれる。なお、２本の缶ビールを連続的に差し入れた場合、１本目の缶ビールの通過によって回転ダンパー１４２，１４４は一旦下方向を向くことになり、その状態の時に、２本目の缶ビールが来てしまうと、２本目の缶ビールについては、急速な落下が防げないことになる。本実施形態では、このようなことが起こらないように、回転ダンパー１４２，１４４の前段（上流）に、落下制御板１４１，１４３を設けて、２本目の缶ビールの落下のタイミングを遅らせるようにしている。その結果、２本目の缶ビールが回転ダンパー１４２，１４４と当接するようになる頃には、回転ダンパー１４２，１４４は、ねじりコイルばねの作用によって、元の状態に戻っていることとなり、２本目の缶ビールについても急速な落下を防ぐことができるようになっている。このようにして、２本目の缶ビールも、缶ビール経路内を比較的ゆっくりとしたスピードで移動していき、最初に差し入れられた缶ビールと当接するようになると移動を停止する。３番目以降に差し入れられる缶ビールについても同様にして、缶ビール貯蔵部１４０内の缶ビール経路を進み、直前に差し入れられた缶ビールと当接するようになると移動を停止する。
【００４５】
冷蔵したい本数（この場合、６本）の缶ビールを缶ビール冷蔵装置１００内に入れ終わったら、缶ビール差し入れ部１２０を閉じて、缶ビール冷蔵装置１００に電力を供給する。図示は省略してあるが、缶ビール冷蔵装置１００の背面部には、電源コードが接続されており、当該電源コードの先端にある電源プラグをコンセントに接続すると、缶ビール冷蔵装置１００に必要な電力が供給されることになる。
【００４６】
図１３は、６本の缶ビールを缶ビール冷蔵装置１００内に差し入れて、缶ビール差し入れ部１２０を閉じた状態を示す図である。なお、同図において、丸付き数字は、対応する缶ビールを、缶ビール冷蔵装置１００内に差し入れた順番を示している。
【００４７】
図１３に示した状態において、缶ビール冷蔵装置１００に必要な電力が供給されると、冷却ユニット１５０及びファン１６０に対して必要な電力が供給され、冷却ユニット１５０（熱電変換モジュール）及びファン１６０が動作を開始して、缶ビール貯蔵部１４０及び缶ビール貯蔵部１４０内の缶ビールが冷却されることになる。
【００４８】
以上のようにして、缶ビール冷蔵装置１００を一定時間動作させると、缶ビール貯蔵部１４０内の缶ビールは、所望の温度まで冷却され、取り出されるまで冷蔵されることになる。
【００４９】
缶ビール冷蔵装置１００によって冷蔵されている缶ビールを取り出す場合は、まず、缶ビール取り出し部１３０を引き出す。そうすると、缶ビール取り出し部１３０の缶ビール収容部１３４に取り出し対象となる缶ビールが収容された状態で、缶ビール取り出し部１３０が引き出されることになる。図１４は、図１３に示した状態から缶ビール取り出し部１３０を引き出した状態を示す図である。同図（ａ）は断面図を示し、同図（ｂ）は平面図を示す。
【００５０】
図１３に示した状態において、缶ビール取り出し部１３０が引き出され始めると、缶ビール取り出し部１３０（ストッパー当接部１３５）によって押されていたストッパー１４５が、ねじりコイルばねの付勢力によって立ち上がり始め、缶ビール取り出し部１３０がある程度の距離以上引き出されると、ストッパー１４５が完全に立ち上がることになる。このように、ストッパー１４５は、缶ビール取り出し部１３０が引き出されると即座に立ち上がるようになっているので、それまで、缶ビール取り出し部１３０の缶ビール収容部１３４に収容されていた１番目の缶ビールに当接することで停止していた２番目の缶ビールに対して、１番目の缶ビールにかわって、ストッパー１４５が即座に当接するようになる。その結果、２番目の缶ビールの移動が規制されて、缶ビール取り出し部１３０が開けられた際に、２番目（以降）の缶ビールが先に進んでしまうことが防止されることになる。
【００５１】
引き出された缶ビール取り出し部１３０の缶ビール収容部１３４に収容されている缶ビールが取り除かれ、缶ビール取り出し部１３０が再度閉められると（元の位置に戻されると）、缶ビール取り出し部１３０（ストッパー当接部１３５）によってストッパー１４５が押され、ストッパー１４５がその回転軸を中心に回転して、ストッパー１４５が缶ビール経路から引っ込む。そうすると、それまでストッパー１４５によって移動が規制されていた２番目以降の缶ビールが重力によって再び缶ビール経路の傾斜を下り出し、最終的に、２番目の缶ビールが、缶ビール取り出し部１３０の内側面と当接した時点で移動を停止することになる。その結果、今度は、２番目に入れられた缶ビールが、缶ビール取り出し部１３０の缶ビール収容部１３４に収容された状態で次に取り出されるのを待つことになる。以上のようにして、缶ビール冷蔵装置１００内で冷蔵されている缶ビールは、一本ずつ、缶ビール冷蔵装置１００内に差し入れられた順番で取り出されることになる。
【００５２】
以上説明したように、上述した缶ビール冷蔵装置１００によれば、複数の缶ビール１０１を同時に冷蔵することが可能となる。
【００５３】
また、上述した缶ビール冷蔵装置１００では、缶ビールを取り出す際に一本づつ取り出すように構成しているので、取り出し口を構成する開口部の大きさを比較的小さくすることができ、缶ビールを取り出す際に、缶ビール貯蔵部１４０内の冷気が外部に逃げる量を少なくすることができる。
【００５４】
以上、本考案の実施形態について説明してきたが、当然のことながら、本考案の実施形態は上記のものに限られない。例えば、上述した実施形態では、缶ビールを冷却する場合について説明したが、もちろん、本考案を、缶ジュースその他の容器入り飲料の冷却に利用することもできる。
【符号の説明】
【００５５】
１００    缶ビール冷蔵装置
１０１    缶ビール
１１０    本体部
１１１    把手
１１２    排気口
１２０    缶ビール差し入れ部
１２１    ピン
１２２    穴
１３０    缶ビール取り出し部
１３１    穴
１３２    ラッチ部材
１３３    操作部
１３４    缶ビール収容部
１３５    ストッパー当接部
１４０    缶ビール貯蔵部
１４１，１４１ａ，１４１ｂ，１４３，１４３ａ，１４３ｂ    落下制御板
１４２，１４４    回転ダンパー
１４５    ストッパー
１４６    回転軸
１５０    冷却ユニット
１５１    伝熱ブロック
１５２    放熱フィン
１５３    ケース
１６０    ファン
【図１】
0003156392.tif 000003
【図２】
0003156392.tif 000004
【図３】
0003156392.tif 000005
【図４】
0003156392.tif 000006
【図５】
0003156392.tif 000007
【図６】
0003156392.tif 000008
【図７】
0003156392.tif 000009
【図８】
0003156392.tif 000010
【図９】
0003156392.tif 000011
【図１０】
0003156392.tif 000012
【図１１】
0003156392.tif 000013
【図１２】
0003156392.tif 000014
【図１３】
0003156392.tif 000015
【図１４】
0003156392.tif 000016